(57)【特許請求の範囲】
【請求項１】
湾曲した軸状フトコロ部の両側面と内外面が略平面で、カエリの基端部にまでカエリの基端部にカエリ加工の結果できる窪みをなくして平面部を延在させたことを特徴とする釣針。
【請求項２】
湾曲した軸状フトコロ部を形成する丸棒状直線部分の両側面と内外面を、カエリの基端部にまでカエリの基端部にカエリ加工の結果できる窪みをなくして平面部を延在させて平面状にプレス加工して、この角棒状直線部分をその内面側が凹曲平面となるように湾曲成形してフトコロ部としたことを特徴とする釣針の製造方法。
【発明の詳細な説明】
【０００１】
【発明の属する技術分野】
本発明は釣針の構造に関し、詳しくは、特に大物の魚が掛かるとこれを逃がさず傷付けずして釣り上げるに好適な鈎状の釣針に関する。
【０００２】
【従来の技術】
丸棒状の鋼線を鈎状に湾曲成形して製造される釣針は釣糸等が係留される略直線状の軸部（シャンク）と、軸部から略Ｕ字状に湾曲したフトコロ部（ベント）と、フトコロ部から延在する針先部（ポイント）で構成され、この釣針の全体形状は釣り対象の魚の種類によって袖形や伊勢アマ形等と多種多様であり、一般に大物の魚の釣針はフトコロ部サイズの大きな、いわゆるフトコロが深くて線径の大きな頑強なものが使用される。このようなフトコロの深い釣針は大物の魚の口腔に針先が掛かり易く、また、掛かった魚を引き上げるランディング時にフトコロ部に魚からの荷重が集中する。ランディング時にフトコロ部に荷重が集中するとフトコロ部が変形したり折損する可能性が高くなることから、フトコロ部を強化するためにフトコロ部全体の湾曲形状を工夫したり、フトコロ部の線材の断面形状やフトコロ部の材質強化等の工夫をしている。
【０００３】
例えば図４（Ａ）にフトコロ部を強化した鉤形釣針１１の従来形状を示すと、この釣針１１は丸棒状の軸部１２とフトコロ部１３と針先部１４から成り、略Ｕ字状に湾曲したフトコロ部１３は図４（Ｂ）に示すように丸棒鋼線の両側面１３ａ、１３ａが２次元プレス加工された縦長略楕円断面形状に仕上げられる。このようにフトコロ部１３をその湾曲方向に略楕円断面形状が縦長となるように２次元プレス加工すると、プレス鍛造によるフトコロ部１３の強化と共に、針先部１４からフトコロ部１３に掛かった魚体重量の負荷に対するフトコロ部１３の耐荷重性が増大してランディング時でも変形し難くなる。
【０００４】
【発明が解決しようとする課題】
図４のような釣針１１のフトコロ部１３は、その両側面１３ａ、１３ａをプレスすることで強化することに一応の成果を上げているが、この釣針１１を使用した様々な種類の釣仕掛けの形態によっては、或いは、魚の掛け方や、取り込み方が原因でフトコロ部１３が強度不足となって変形したり折損することがある。また、釣針１１に掛かった魚が水中を逃げるときに、フトコロ部１３の半円形断面の内面側頂点部分が魚の口腔に集中的に食い込んで魚の口腔がフトコロ部１３で傷付けられ易く、特に大物の魚は長時間水中を逃げ回るファイトをするために、このファイト時に大きく傷付くことがある。このような魚の傷付きは、スムーズなライディングを難しくして結果的に魚を逃がすことがあり、また、釣り上げた魚の外観、商品価値を悪くしていた。
【０００５】
本発明の目的は、フトコロ部を尚一層に強化した、かつ、掛かった魚を傷付け難い釣針を提供することにある。
【０００６】
【課題を解決するための手段】
本発明の上記目的を達成する請求項１の発明の釣針は、湾曲した軸状フトコロ部の両側面と内外面が略平面で、カエリの基端部にまでカエリの基端部にカエリ加工の結果できる窪みをなくして平面部を延在させたことを特徴とする。この釣針のフトコロ部の断面形状は略正方形で、その対向する二辺が平面のフトコロ部両側面となり、残りの対向する二辺がフトコロ部の内面と外面になる。
【０００７】
また、本発明の請求項２の釣針製造方法は、湾曲した軸状フトコロ部を形成する丸棒状直線部分の両側面と内外面を、カエリの基端部にまでカエリの基端部にカエリ加工の結果できる窪みをなくして平面部を延在させて平面状にプレス加工で断面略正方形に成形して、この角棒状直線部分をその内面側が凹曲平面となるように湾曲成形してフトコロ部としたことを特徴とする。
【０００８】
ここで、湾曲した軸状フトコロ部を有する鈎状の釣針は、たとえば、そのフトコロ部の両側面が図４の従来釣針と同様に２次元プレス加工され、このプレス加工に加えてフトコロ部の内外面もプレス加工して、結果的にフトコロ部を断面略正方形になるよう３次元プレス加工したものである。この３次元プレス加工でフトコロ部が２段階に亘り鍛造されてより強化されると共に、内面が湾曲平面となって掛かった魚の口腔に面接触するようになり、掛かった魚が長時間ファイトしても傷付け難くなる。
【０００９】
【発明の実施の形態】
図１（Ａ）、（Ｂ）に示す実施の形態の釣針１は図３と同様な鉤状釣針に適用したもので、略直線状の軸部２と略Ｕ字状に湾曲したフトコロ部３と先鋭な針先部４を有する。釣針１の全体の形状は図１（Ａ）に示すような伊勢アマ形に限らず、また、軸部２の先端に釣糸を繋留するチモト５を形成しているが、この軸部先端部の形状は任意でよい。また、図１はシングルフックタイプ（一本針）の釣針であるが、ダブルフックタイプやそれ以上の多数本タイプにおける釣針であってもよい。図１（Ｂ）に示すように、フトコロ部３を２次元もしくは３次元プレス加工して、その両側面３ａ，３ａと内面３ｂ、外面３ｃを平面仕上げしてある。
【００１０】
湾曲した軸状フトコロ部３を有する釣針１は丸棒状の鋼線から製造され、この製造途中において図２（Ａ）に示すような鋼線の丸棒状直線部分３’を図２（Ｂ）の矢印で示すように直交二方向の四方から同時或いは順にプレス加工して，直線部分３’を略正方形断面に鍛造成形する。プレス加工された直線部分３’の外周は連続する４平面（３ａ−３ｂ−３ｂ−３ｃ）で形成され、この直線部分３’を４平面の内の内面３ｂが凹湾曲面となるように屈曲成形して釣針１が製造される。
【００１１】
上記のように釣針１のフトコロ部３を略正方形断面になるようにプレス加工すると、湾曲したフトコロ部３の軸内部が左右上下から２段階に亘り鍛造されて，図４に示した従来のものに比べて一段と強化される。かつ、フトコロ部３の湾曲方向と平行な両側面３ａ、３ａが鍛造され強化された平面部分となり、釣針１に魚が掛かって引っ張ると両側面３ａ、３ａに図３の矢印ｅで示すように面方向に掛かった魚の負荷が加わることから、両側面３ａ、３ａのフトコロ部湾曲方向に対する耐荷重性が増して、２次元もしくは３次元プレス加工されたフトコロ部３が釣針１の実質上の強度を増大させる。
【００１２】
また、釣針３の針先に魚の口腔が掛かると、魚の口腔は針先部４からフトコロ部３まで達し，この状態で魚を引き上げようとするとフトコロ部３の内面３ｂが魚の口腔に強く当たる。このとき、フトコロ部３の内面３ｂは湾曲した平面であるため、図３の矢印ｆで示すように平面の内面３ｂが魚の口腔に面接触することになる。そのため、掛かった魚を引き上げるランディング時に魚が長時間ファイとしても魚の口腔がフトコロ部２で傷付けられることが大幅に少なくなり、これにより魚のランディングがよりスムーズに行えるようになると共に、釣り上げた魚の概観が損傷される虞が少なくなる。
【００１３】
なお、フトコロ部３の断面形状は略正方形が２方向からの３次元プレス加工の製作上に望ましいが、釣針の太さ，材質によっては台形断面や、フトコロ部３の両側面３ａ，３ａと内外面３ｂ、３ｃの４コーナ部を面取りしたような多角断面形状であってもよい。
【００１４】
さらに、図１（A）に示すように、フトコロ部３のほぼ全体にわたって両側面３ａおよび内外面３ｂ，３ｃを平面状とすることにより、カエリ部分からフトコロ部分での保持力が高まる。また、針先部４側にあっては、カエリ６の基端部にまで平面部を延在させることによって、カエリ６の基端部にカエリ加工の結果できる窪み（図４（Ａ）参照）をなくして釣針の保持力を高めることができる。
【００１５】
【発明の効果】
本発明によれば、湾曲したフトコロ部の両側面と内外面を２次元もしくは３次元プレス加工で平面仕上げしたので、フトコロ部が２段階に亘り鍛造されて強度アップされて、掛かった魚の負荷で変形し難い、従って、掛かった魚を逃がすバラシの少ない高信頼度の釣針が提供できる。また、掛かった魚を釣り上げるランディング時に魚の口腔等の荷重が集中的に加わる釣針のフトコロ部内面が湾曲平面になっているので、このフトコロ部内面が魚の口腔等に面接触して、ランディング時に魚が長時間ファイトしても魚を傷付ける虞が少なくなって、よりスムーズなランディングが可能な、また、釣り上げた魚の外観や商品価値を良好にする釣針が提供できる効果がある。このような効果は、釣り対象の魚が重量大の大物であるほど顕著である。
【図面の簡単な説明】
【図１】（Ａ）は本発明の実施の形態を示す釣針の側面図、（Ｂ）はＸ−Ｘ線の拡大断面図である。
【図２】（Ａ）は図１の釣針のフトコロ部の加工前の断面図、（Ｂ）はプレス加工後の断面図である。
【図３】図１の釣針の拡大部分斜視図である。
【図４】（Ａ）は従来の釣針の側面図、（Ｂ）はＹ−Ｙ線の拡大断面図である。
【符号の説明】
１    釣針
２    軸部
３    フトコロ部
３ａ    両側面
３ｂ    内面
３ｃ    外面
４    針先部
５    チモト部
６    カエリ
【図１】
0004498623.tif 000002
【図２】
0004498623.tif 000003
【図３】
0004498623.tif 000004
【図４】
0004498623.tif 000005